(57)【要約】【課題】スクリーンの透光部同士が前後に重なったときにモアレの発生を抑制することが可能なロールスクリーンを提供する。【解決手段】ロールスクリーン１００は、巻取りパイプ１１０に巻き取り及び巻き解き可能であるとともに前後二重に配置されるスクリーン１２０を備えており、スクリーン１２０は、透過部１２２と不透過部１２４とが巻取り方向に交互に連続して形成され、透過部１２２は、第１の透過部１２２−１と、第１の透過部１２２−１とは異なる生地組織からなる第２の透過部１２２−２と、からなり、第１の透過部１２２−１と第２の透過部１２２−２とは、不透過部１２４を境にして交互に連続して形成される。よって、透過部１２２が前後に重なったとき、異なる生地組織からなる第１の透過部１２２−１と第２の透過部１２２−２とが重なることで、モアレの発生を抑制できる。【選択図】図１
2018003541.tif 000002
【特許請求の範囲】
【請求項１】
巻取りパイプに巻き取り及び巻き解き可能であるとともに前後二重に配置されるスクリーンを備えたロールスクリーンにおいて、
前記スクリーンは、透過部と不透過部とが巻取り方向に交互に連続して形成され、
前記透過部は、第１の生地組織と、前記第１の生地組織とは異なる生地組織からなる第２の生地組織と、からなり、
前記第１の生地組織と前記第２の生地組織とは、前記不透過部を境にして交互に連続して形成されることを特徴とする、ロールスクリーン。
【請求項２】
前記スクリーンは、下端が折り返されて前後に重なるように配置されるものであり、下限まで下降したときに前記不透過部が折り返されて前記第１の生地組織と前記第２の生地組織とが前後に重なることを特徴とする、請求項１に記載のロールスクリーン。
【請求項３】
前記第１の生地組織と前記第２の生地組織とは、巻取り方向の経糸は同一の本数であり、巻取り方向に対して垂直な緯糸の本数を変えることで異なる生地組織となるようにしたことを特徴とする、請求項１又は２に記載のロールスクリーン。
【請求項４】
前記スクリーンは織物であり、前記スクリーンの全長にわたって連続する経糸を備え、緯糸の本数を変えることで前記不透過部、前記第１の生地組織及び前記第２の生地組織を構成していることを特徴とする、請求項１又は２に記載のロールスクリーン。
【請求項５】
前記第１の生地組織と前記第２の生地組織とは、経糸及び緯糸は同一の本数であり、巻取り方向に対して垂直な緯糸の太さを変えることで異なる生地組織となるようにしたことを特徴とする、請求項１又は２に記載のロールスクリーン。
【発明の詳細な説明】
【技術分野】
【０００１】
本発明は、ロールスクリーンに関する。
【背景技術】
【０００２】
従来のロールスクリーンとしては、特開２００９−７９４３１号公報（特許文献１）に示されるものがある。この特許文献１に開示されるロールスクリーンは、上方端部支持バーの両端に対向して配置された一対の支持ブラケットに両端が枢支される巻き取りロッドと、透光部及び不透光部が巻き取り方向に交互に連続して形成され、一端が上方端部支持バーに固定され他端が巻き取りロッドに繰り出し可能に巻き取られかつ下端で折り返されて二重に構成されたスクリーンと、スクリーンの折り返し部に常に位置するようにスクリーンに取付けられる錘本体とを備える。そして、このロールスクリーンでは、スクリーンの巻き取り方向の透光部の長さをＬ１とするとき、スクリーンの巻き取り方向の不透光部の長さＬ２が１．２Ｌ１〜１．８Ｌ１の範囲内に設定される。
【０００３】
このような構成によれば、不透光部の長さＬ２が透光部の長さＬ１の１．２〜１．８倍であるため、二重のスクリーンの前後の透光部同士が全く重ならない状態にずらすと、透光部が不透光部内に完全に納まるため、不透光部の上縁及び下縁から光が漏れることがなく、完全に遮光できる。
【先行技術文献】
【特許文献】
【０００４】
【特許文献１】特開２００９−７９４３１号公報
【発明の概要】
【発明が解決しようとする課題】
【０００５】
しかしながら、従来のロールスクリーンにおいては、前後の透光部同士、不透光部同士が重なると、上下の各透光部から光を採り入れることができるが、透光部は光透過率４０〜９５％、好ましくは６０〜９５％のメッシュ状生地により形成されており、前後に重なった透光部は同一の組成からなるため、モアレ（干渉縞）が発生してしまうという問題があった。
【０００６】
そこで本発明は、このような問題に鑑みてなされたもので、その目的とするところは、スクリーンの透光部同士が前後に重なったときにモアレの発生を抑制することが可能なロールスクリーンを提供することにある。
【課題を解決するための手段】
【０００７】
上記課題を解決するために、本発明によれば、巻取りパイプに巻き取り及び巻き解き可能であるとともに前後二重に配置されるスクリーンを備えたロールスクリーンにおいて、前記スクリーンは、透過部と不透過部とが巻取り方向に交互に連続して形成され、前記透過部は、第１の生地組織と、前記第１の生地組織とは異なる生地組織からなる第２の生地組織と、からなり、前記第１の生地組織と前記第２の生地組織とは、前記不透過部を境にして交互に連続して形成されることを特徴とする、ロールスクリーンが提供される。
【０００８】
かかる構成によれば、スクリーンの透過部が前後に重なったとき、第１の生地組織と第１の生地組織とは異なる生地組織からなる第２の生地組織とが重なることで、モアレの発生を抑制できる。
【０００９】
本発明は様々な応用が可能である。例えば、前記スクリーンは、下端が折り返されて前後に重なるように配置されるものであり、下限まで下降したときに前記不透過部が折り返されて前記第１の生地組織と前記第２の生地組織とが前後に重なるようにしてもよい。かかる構成によれば、スクリーンが下限まで下降したときに第１の生地組織と第２の生地組織とが前後に重なるため、モアレの発生を抑制できる。
【００１０】
また、前記第１の生地組織と前記第２の生地組織とは、巻取り方向の経糸は同一の本数であり、巻取り方向に対して垂直な緯糸の本数を変えることで異なる生地組織となるようにしてもよい。本発明によれば、緯糸の本数を変えることで異なる生地組織としたため、スクリーンの製造が容易である。
【００１１】
また、前記スクリーンは織物であり、前記スクリーンの全長にわたって連続する経糸を備え、緯糸の本数を変えることで前記不透過部、前記第１の生地組織及び前記第２の生地組織を構成してもよい。かかる構成によれば、不透過部、第１の生地組織及び第２の生地組織を連続して織っていくことができるため、スクリーンの製造が容易である。
【００１２】
また、前記第１の生地組織と前記第２の生地組織とは、経糸及び緯糸は同一の本数であり、巻取り方向に対して垂直な緯糸の太さを変えることで異なる生地組織となるようにしもよい。かかる構成によれば、第１の生地組織と第２の生地組織の緯糸の太さを変えることで、第１の生地組織と第２の生地組織において意匠上の変化をつけながら、モアレの発生を抑制できる。
【発明の効果】
【００１３】
本発明のロールスクリーンによれば、スクリーンの透光部同士が前後に重なったときにモアレの発生を抑制することができる。本発明のその他の効果については、後述する発明を実施するための形態においても説明する。
【図面の簡単な説明】
【００１４】
【図１】本発明の第１の実施形態にかかるロールスクリーンの斜視図である。
【図２】ロールスクリーンを側面から見た断面図である。
【図３】ウエイトバー付近の斜視図である。
【図４】スクリーンの構造を示す正面図である。
【図５】ロールスクリーンの動作を説明するための図であり、（ａ）は全閉のときの断面図であり、（ｂ）は調光のときの断面図である。
【図６】第２の実施形態にかかるロールスクリーンを側面から見た断面図であり、（ａ）は全開の状態を示し、（ｂ）はスクリーンの下降開始時の状態を示し、（ｃ）はスクリーンが下限位置の手前にある状態を示し、（ｄ）は全閉の状態を示し、（ｅ）は調光の状態を示す。
【発明を実施するための形態】
【００１５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１６】
（第１の実施形態）
本発明の第１の実施形態に係るロールスクリーン１００の構成について図１〜図４を参照しながら説明する。図１は、本実施形態にかかるロールスクリーン１００の斜視図である。図２は、ロールスクリーン１００を側面から見た断面図である。図３は、ウエイトバー付近の斜視図である。図４は、スクリーンの構造を示す正面図である。
【００１７】
本実施形態のロールスクリーン１００の全体構成について、図１を参照しながら説明する。ロールスクリーン１００は、図１に示したように、一端が巻取りパイプ１１０に連結され、巻取りパイプ１１０に巻き取り及び巻き解き可能であるとともに前後二重に配置されるスクリーン１２０を備える。以下、ロールスクリーン１００の各部の構成について詳細に説明する。
【００１８】
ロールスクリーン１００は、図１に示したように、図示していない窓枠や天井等にブラケット１３０を介して固定されるセットフレーム１４０が取り付けられることによって、窓枠や天井などに取り付けられる。セットフレーム１４０の両端にサイドブラケット１５０が設けられている。サイドブラケット１５０には巻取りパイプ１１０の両端が回転可能に支持されている。巻取りパイプ１１０にスクリーン１２０の一端が巻取り及び巻解き可能に連結されている。
【００１９】
スクリーン１２０の他端は、図２に示されたように、巻取りパイプ１１０から垂下するとともにウエイトバー１６０のパイプ１６２に巻き付けられて折り返されて上昇し、巻取りパイプ１１０よりも後方の上方においてセットフレーム１４０に形成される固定部１４２に固定されている。より詳細には、スクリーン１２０の他端には固定板１７０が連結されており、この固定板１７０が固定部１４２の内部空間に挿入されることにより、スクリーン１２０の他端が固定部１４２に固定される。このため、スクリーン１２０は、巻取りパイプ１１０から垂下した部分と固定部１４２から垂下した部分とで前後二重に垂下した状態になる。また、スクリーン１２０は、ウエイトバー１６０の自重によりその折り返し部が下方に引っ張られることによりテンションが掛かった状態を維持する。
【００２０】
巻取りパイプ１１０の回転操作は、巻取りパイプ１１０の一端においてスプロケット（図示せず）に巻き掛けられた操作チェーン１８０を操作することにより行われ、また、操作チェーン１８０の操作を停止すれば、公知のストッパにより巻取りパイプ１１０はその停止位置を維持可能となる。
【００２１】
次に、本実施形態に特徴的な構成要素であるスクリーン１２０について説明する。
【００２２】
スクリーン１２０は、図３に示したように、透過部１２２と不透過部１２４とが上下方向に交互に連続して形成されている。透過部１２２と不透過部１２４とは連続して織られた織物である。透過部１２２は、第１の生地組織からなる第１の透過部１２２−１と、第１の生地組織とは異なる生地組織からなる第２の生地組織からなる第２の透過部１２２−２と、からなり、第１の透過部１２２−１と第２の透過部１２２−２とは、不透過部１２４を境にして交互に連続して形成される。また、不透過部１２４がウエイトバー１６０で折り返されたときに透過部１２２の第１の透過部１２２−１と第２の透過部１２２−２とが前後に重なるように構成されている。
【００２３】
第１の透過部１２２−１と第２の透過部１２２−２とは同じ幅に構成されている。第１の透過部１２２−１と第２の透過部１２２−２とは、図４に示したように、経糸Ｔは同一の本数であり、緯糸Ｙの本数を変えることで異なる生地組織となっている。このため、第１の透過部１２２−１と第２の透過部１２２−２とが、対面して重なり合ったときにモアレの発生が抑制されている。
【００２４】
不透過部１２４も、図４に示したように、透過部１２２と経糸Ｔは同一の本数であり、緯糸Ｙの本数を変えることで異なる生地組織となっている。不透過部１２４の幅Ｄ１は透過部１２２の幅Ｄ２よりも広く構成されている。よって、不透過部１２４と透過部１２２とが対面して重なり合ったときに不透過部１２４は透過部１２２を完全に覆うことができるため、外部からの光を遮断することができる。
【００２５】
スクリーン１２０の製造方法としては、例えば、スクリーン１２０の全長にわたって連続する経糸Ｔを備え、不透過部１２４、第１の透過部１２２−１及び第２の透過部１２２−２を織るときに緯糸Ｙの本数をそれぞれ変えることによって不透過部１２４、第１の透過部１２２−１及び第２の透過部１２２−２を構成するようにしてもよい。
【００２６】
以上、本実施形態のロールスクリーン１００の構成について説明した。次に、本実施形態のロールスクリーン１００の動作について、図５を参照しながら説明する。図５はロールスクリーン１００の動作を説明するための図である。
【００２７】
本実施形態のロールスクリーン１００において、スクリーン１２０は、図５（ａ）に示したように、透過部１２２と不透過部１２４とが前後に重なると、不透過部１２４が透過部１２２よりも幅が広いため、一方の面から見ると、スクリーン１２０全面が不透過部１２４になる。よって、外部からの光を遮断することができるとともに、スクリーン１２０を介して一方の側から他方の側の様子を見ることができないようにすることができる。
【００２８】
操作チェーン１８０を操作して巻取りパイプ１１０を回転し、スクリーン１２０の一端を巻取り又は巻き解くと、透過部１２２と不透過部１２４の位置が移動していく。図５（ｂ）に示したように、不透過部１２４がウエイトバー１６０で折り返されたとき、透過部１２２の第１の透過部１２２−１と第２の透過部１２２−２とが前後で重なり、不透過部１２４同士が前後で重なる。このように、透過部１２２同士及び不透過部１２４同士が前後で重なるときに、外部からの光を取り入れることができるとともに、スクリーン１２０を介して一方の側から他方の側の様子を見ることができる。また、第１の透過部１２２−１と第２の透過部１２２−２とは異なる生地組織となっているため、前後に重なってもモアレの発生が抑制される。
【００２９】
（第１の実施形態の効果）
以上説明したように、本実施形態によれば、スクリーン１２０の透過部１２２が前後に重なったとき、第１の透過部１２２−１と第１の透過部１２２−１とは異なる生地組織からなる第２の透過部１２２−２とが重なることで、モアレの発生を抑制できる。
【００３０】
また、スクリーン１２０が下限まで下降したときにウエイトバー１６０で不透過部１２４が折り返されて、異なる生地組織の第１の透過部１２２−１と第２の透過部１２２−２とが前後に重なるため、モアレの発生を抑制できる。
【００３１】
また、スクリーン１２０は織物であり、スクリーン１２０の全長にわたって連続する経糸Ｔを備え、緯糸Ｙの本数を変えることによって不透過部１２４、第１の透過部１２２−１及び第２の透過部１２２−２を異なる織り構造として連続して織っていくことができるため、スクリーン１２０の製造が容易である。
【００３２】
（第２の実施形態）
次に、第２の実施形態に係るロールスクリーン２００の構成について、図６を参照しながら説明する。図６は、第２の実施形態のロールスクリーン２００を側面から見た断面図である。本実施形態では、スクリーン１２０の他端がセットフレーム１４０ではなく、巻取りパイプ１１０に連結されている点が第１の実施形態と相違し、その他の点は第１の実施形態と同様である。本実施形態では、上記第１の実施形態と異なる点を中心に説明する。実質的に同一の機能構成を有する構成要素については、同一の符号を付することにより重複説明を省略する。
【００３３】
本実施形態のロールスクリーン２００は、図６に示したように、ウエイトバー１６０で折り返されて前後二重に配置されるスクリーン１２０の両端が巻取りパイプ１１０に連結されている。スクリーン１２０の両端が連結される位置は巻取りパイプ１１０の円周方向において１８０度離間している。よって、前後のスクリーン１２０−１、１２０−２は、重なり合った状態で巻取りパイプ１１０に巻き取り及び巻き解かれる。
【００３４】
ロールスクリーン２００には、前側スクリーン１２０−１の前方への移動を規制する手段が設けられている。この手段の一例として、ロールスクリーン２００には巻取りパイプ１１０の下方において長手方向全に渡って延びる規制部材（ガイドローラ）２１０が設けられる。規制部材２１０の両端は図示していないサイドブラケット１５０によって支持される。規制部材２１０は、前方へ移動しようとする前側スクリーン１２０−１が引っ掛かることによって移動を規制する。
【００３５】
ここで、ロールスクリーン２００において、巻取りパイプ１１０、スクリーン１２０、サイドブラケット１５０及びウエイトバー１６０は、第１の実施形態と同様であるため、説明を省略する。
【００３６】
以上、本実施形態のロールスクリーン２００の構成について説明した。次に、本実施形態のロールスクリーン２００の動作について、図６を参照しながら説明する。
【００３７】
スクリーン１２０が全開のときには、図６（ａ）に示したように、前後のスクリーン１２０−１、１２０−２は重なり合った状態で巻取りパイプ１１０に巻き取られている。このとき、スクリーン１２０は透過部１２２と不透過部１２４とが前後で重なった状態となっている。
【００３８】
スクリーン１２０が下降していくと、図６（ｂ）に示したように、前後のスクリーン１２０−１、１２０−２は重なり合った状態で巻取りパイプ１１０から巻き解かれていく。このとき、スクリーン１２０は透過部１２２と不透過部１２４とが前後で重なった状態で下降していく。
【００３９】
スクリーン１２０は下限位置の手前までは、図６（ｃ）に示したように、前後のスクリーン１２０−１、１２０−２は重なり合った状態で巻取りパイプ１１０から巻き解かれていく。このため、透過部１２２と不透過部１２４とが前後で重なった状態である。そして、スクリーン１２０が下限位置になるときには、図６（ｄ）に示したように、前側スクリーン１２０−１は巻取りパイプ１１０から完全に巻き解かれ、後側スクリーン１２０−２のみが巻取りパイプ１１０から巻き解かれて下降していく。このとき、前側スクリーン１２０−１の巻取りパイプ１１０との連結部分は、巻取りパイプ１１０の回転に伴って前方に移動するが、後側スクリーン１２０−２の位置は変わらないため、後側スクリーン１２０−２から離間していく。そして、前側スクリーン１２０−１は規制部材２１０の位置までは前方に移動するが、規制部材２１０に引っ掛かってそれ以上の前方への移動は規制される。
【００４０】
引き続き巻取りパイプ１１０が回転すると、前側スクリーン１２０−１が巻取りパイプ１１０に逆方向に巻き取られ、後側スクリーン１２０−２は巻き解かれる。そして、スクリーン１２０が下限位置まで下降すると、図６（ｅ）に示したように、不透過部１２４がウエイトバー１６０で折り返されて、前後のスクリーン１２０−１、１２０−２の不透過部１２４同士が重なる。前後のスクリーン１２０−１、１２０−２の透過部１２２は、前側スクリーン１２０−１の第１の透過部１２２−１と後側スクリーン１２０−２の第２の透過部１２２−２とが重なる。このように、前後のスクリーン１２０−１、１２０−２の透過部１２２同士が重なっても、第１の透過部１２２−１と第２の透過部１２２−２とは異なる生地組織となっているため、モアレの発生が抑制される。
【００４１】
（第２の実施形態の効果）
以上説明したように、本実施形態によれば、スクリーン１２０の両端を巻取りパイプ１１０に連結した構成としても、スクリーン１２０の下限位置で前後のスクリーン１２０−１、１２０−２が離間し、前後に重なるように配置されるスクリーン１２０を備えたロールスクリーン１００とすることができる。
【００４２】
また、スクリーン１２０の下限位置で、前後のスクリーン１２０−１、１２０−２の透過部１２２は、前側スクリーン１２０−１の第１の透過部１２２−１と後側スクリーン１２０−２の第２の透過部１２２−２とが重なった状態になる。よって、異なる生地組成の第１の透過部１２２−１と第２の透過部１２２−２とが重なるため、モアレの発生を抑制できる。
【００４３】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４４】
例えば、上記実施形態では、スクリーン１２０は、下限まで下降したときに不透過部１２４が折り返されて第１の透過部１２２−１と第２の透過部１２２−２とが前後に重なる構成としたが、本発明はこの例に限定されない。例えば、スクリーン１２０が下限まで下降したときに、透過部１２２と不透過部１２４とが一部重なったり、第１の透過部１２２−１同士及び第２の透過部１２２−２同士が一部重なったりしてもよい。スクリーン１２０を下端で折り返さず、２枚のスクリーンの上下端部を巻取りパイプ１１０及びウエイトバー１６０に対してそれぞれ連結する構造としてもよい。
【００４５】
また、上記実施形態では、スクリーン１２０は、第１の透過部１２２−１と第２の透過部１２２−２とは、巻取り方向の経糸は同一の本数であり、巻取り方向に対して垂直な緯糸の本数を変えることで異なる生地組織となるようにしたが、本発明はこの例に限定されない。例えば、第１の透過部１２２−１と第２の透過部１２２−２とは、緯糸の本数も同じにして糸の太さや種類を変えたり、経糸の本数を変えて緯糸の本数を同じにしたりしてもよい。
【００４６】
また、上記実施形態では、スクリーン１２０は、透過部１２２と不透過部１２４とは連続して織られた織物であるとしたが、本発明はこの例に限定されない。例えば、スクリーンは、編み物や不織布でもよく、また、第１の透過部、第２の透過部及び不透過部が別体であり、縫製や溶着等により連結して構成されていてもよい。例えば、第１の透過部、第２の透過部の経糸又は緯糸の本数を同じにすることによって、これらの製造が容易である。
【符号の説明】
【００４７】
１００、２００  ロールスクリーン
１１０  巻取りパイプ
１２０  スクリーン
１２０−１  前側スクリーン
１２０−２  後側スクリーン
１２２  透過部
１２２−１  第１の透過部（第１の生地組織）
１２２−２  第２の透過部（第２の生地組織）
１２４  不透過部
１３０  ブラケット
１４０  セットフレーム
１４２  固定部
１５０  サイドブラケット
１６０  ウエイトバー
１６２  パイプ
１７０  固定板
１８０  操作チェーン
２１０  規制部材
Ｔ  経糸
Ｙ  緯糸
【図１】
2018003541.tif 000003
【図２】
2018003541.tif 000004
【図３】
2018003541.tif 000005
【図４】
2018003541.tif 000006
【図５】
2018003541.tif 000007
【図６】
2018003541.tif 000008